(57)【要約】    【課題】食器洗い機１において、分け洗い洗浄のために水や洗浄水の供給状態を切り換える改良された切換装置が望まれていた。    【解決手段】切換装置４０は、弁室４６と、その中に収容されたボール４２と、弁室４６内に出没可能なストッパピン４３とを備える。ストッパピン４３が引っ込んだ状態では、供給される水または洗浄水とともにボール４２は弁室４６内を下方から上方へ移動し、上端の出口４９を塞ぐことができる。出口４９には、その内周面の一部に小さな切欠凹部５２が形成されている。切欠凹部５２は、ボール４２が出口４９に当接する際に、ボール４２と出口４９の内周面との間にわずかな水の流路を残すためのものである。    【効果】切欠凹部５２を設けることにより、ボール４２が出口４９に嵌まる際に、ボール４２が水流によってチャタリングを生じず、速やかに出口４９を塞ぐことができる。【選択図】            図４
2006055355.tif 000002
【特許請求の範囲】
【請求項１】
食器に水や洗浄水を噴射するための噴射口と、噴射口に連通された通水管と、通水管に挿入され、通水管を通して噴射口へ水や洗浄水を供給するか、供給しないかを切り換えるための切換装置とを有する食器洗い機であって、
上記切換装置は、
上下方向に長手の内空間を有し、内空間の下端が水の入口、内空間の上端が水の出口となった弁室と、
弁室内に収容され、上記内空間を上下に移動可能で、最上方に移動したときに出口の内周に当接して出口を塞ぐ球体と、
上記出口の内周の一部に形成され、当接した球体と内周との間にわずかな水の流路を残すための切欠凹部と、
を含むことを特徴とする食器洗い機。
【請求項２】
上記切欠凹部は、水平方向に見て、出口の中心に対して対称的な角度位置に複数個形成されていることを特徴とする、請求項１記載の食器洗い機。
【請求項３】
上記弁室の、出口につながる内壁は、水平方向に対し４５°以上の角度で傾斜した、内空間を狭めていくテーパ面になっていることを特徴とする、請求項１または２記載の食器洗い機。
【請求項４】
上記弁室の下端の水の入口周囲には、上記球体が最下方に位置するときに球体を受け止める座が設けられていて、
当該座は、最上方に移動して出口を塞いだ球体と最下方に位置した球体とが鉛直線方向に並ぶ位置に形成されていることを特徴とする、請求項１〜３のいずれかに記載の食器洗い機。
【請求項５】
上記弁室に備えられた水の入口および水の出口は、それぞれ、水平に開口しており、それぞれの中心は同一の鉛直線上に存在することを特徴とする、請求項４記載の食器洗い機。
【請求項６】
上記内空間は、水平方向の断面形状が円形であり、かつ、その直径は上記球体の直径の１．２倍未満であることを特徴とする、請求項４記載の食器洗い機。
【請求項７】
上記球体が座に受け止められた状態では、球体の上方に突出しており、上記入口から水が進入して球体が上方へ押し上げられる直前に没して球体が内空間を上方へ移動する妨げにならない、上記内空間に水平方向に出没し得るストッパピンを有することを特徴とする、請求項１〜６のいずれかに記載の食器洗い機。
【発明の詳細な説明】
【技術分野】
【０００１】
この発明は、食器洗い機に関し、特に、食器を収容するカゴを上下に備えていて、分け洗いの可能な卓上型の食器洗い機に関する。
【背景技術】
【０００２】
従来から、流し台のシンクの横などに設置される卓上型の食器洗い機が知られている。卓上型の食器洗い機は、その設置場所が限られているため外形寸法は大きくすることができない反面、内部の洗浄タンク内には標準的な家庭の人数分の食器を収容できなければならない。そのために、洗浄タンク内に上下にカゴを備えた食器洗い機が実用化されている。
【０００３】
上下のカゴを有する食器洗い機は、上下のカゴに常に食器が満杯にされて洗浄が行われるわけではなく、少ない食器容量で洗浄が行われることもある。たとえば、上下のカゴを用いれば６人前（３６点以上）の食器を一度に洗浄できる食器洗い機において、少ない食器容量（たとえば４人前の食器）で洗浄が行われることもある。このような場合に、上下のカゴに食器を分散して収容し、洗浄を行ってもよいが、かかる場合は使用水量も多くなることになる。
【０００４】
そこで、上カゴに水をかけるノズルへの水の供給を止め、下カゴに水をかけるノズルへのみ水を送るようにする切換機構を備え、上カゴの食器と下カゴの食器との分け洗いを行えるようにし、少ない食器容量（たとえば４人前程度まで）であれば、下カゴのみを使用して洗浄することができる食器洗い機を実現することが考えられる。
なお、下カゴと上カゴとの分け洗いを行う構成については、たとえば、特許第３１６２９１２号公報（特開平８−５６８８５号公報）に記載されている。
【特許文献１】特許第３１６２９１２号公報
【発明の開示】
【発明が解決しようとする課題】
【０００５】
下カゴのみを使用して洗浄をする場合には、上ノズルへの水の供給を止め、下カゴに水をかけるノズルへのみ水を送るようにする切換機構が必須となる。この切換機構は、上ノズルおよび下ノズルの両方に水を供給する状態と、上ノズルへの水の供給を止め、下ノズルへだけ水を供給する状態とを適切に切り換えられるものでなければならない。また、この切換機構は、簡単な構成で、かつ、狭い空間内に配置されるものでなければならない。      
【０００６】
この発明は、かかる背景のもとでなされたもので、水や洗浄水の供給状態および非供給状態を良好に切り換えることのできる切換装置を有する食器洗い機を提供することを主たる目的とする。
【課題を解決するための手段】
【０００７】
上記目的を達成するために、この発明は、特許請求の範囲の各請求項に記載された構成を具備するものであり、各構成要件に実施形態において説明する構成要素の番号を括弧書きで付して説明すると、次のとおりである。
請求項１記載の発明は、食器に水や洗浄水を噴射するための噴射口と、噴射口に連通された通水管と、通水管に挿入され、通水管を通して噴射口へ水や洗浄水を供給するか、供給しないかを切り換えるための切換装置（４０）とを有する食器洗い機であって、上記切換装置（４０）は、上下方向に長手の内空間（４７）を有し、内空間（４７）の下端が水の入口（４８）、内空間（４７）の上端が水の出口（４９）となった弁室（４６）と、弁室（４６）内に収容され、上記内空間（４７）を上下に移動可能で、最上方に移動したときに出口（４９）の内周に当接して出口（４９）を塞ぐ球体（４２）と、上記出口（４９）の内周の一部に形成され、当接した球体（４２）と内周との間にわずかな水の流路を残すための切欠凹部（５２）と、を含むことを特徴とする食器洗い機である。
【０００８】
請求項２記載の発明は、上記切欠凹部（５２）は、水平方向に見て、出口（４９）の中心に対して対称的な角度位置に複数個形成されていることを特徴とする、請求項１記載の食器洗い機である。
請求項３記載の発明は、上記弁室（４６）の、出口（４９）につながる内壁は、水平方向に対し４５°以上の角度で傾斜した、内空間を狭めていくテーパ面（５１）になっていることを特徴とする、請求項１または２記載の食器洗い機である。
【０００９】
請求項４記載の発明は、上記弁室（４６）の下端の水の入口（４８）周囲には、上記球体（４２）が最下方に位置するときに球体を受け止める座（５０）が設けられていて、当該座（５０）は、最上方に移動して出口（４９）を塞いだ球体（４２）と最下方に位置した球体（４２）とが鉛直線方向に並ぶ位置に形成されていることを特徴とする、請求項１〜３のいずれかに記載の食器洗い機である。
【００１０】
請求項５記載の発明は、上記弁室（４６）に備えられた水の入口（４８）および水の出口（４９）は、それぞれ、水平に開口しており、それぞれの中心は同一の鉛直線上に存在することを特徴とする、請求項４記載の食器洗い機である。
請求項６記載の発明は、上記内空間（４７）は、水平方向の断面形状が円形であり、かつ、その直径は上記球体の直径の１．２倍未満であることを特徴とする、請求項４記載の食器洗い機である。
【００１１】
請求項７記載の発明は、上記球体（４２）が座（５０）に受け止められた状態では、球体（４２）の上方に突出しており、上記入口（４８）から水が進入して球体（４２）が上方へ押し上げられる直前に没して球体（４２）が内空間（４７）を上方へ移動する妨げにならない、上記内空間に水平方向に出没し得るストッパピン（４３）を有することを特徴とする、請求項１〜６のいずれかに記載の食器洗い機である
【発明の効果】
【００１２】
請求項１の発明によれば、球体が塞ぐ弁室の出口には、球体が出口を塞いだ場合においても、切欠凹部が存在するため、わずな水の流路が残されている。球体が出口を塞ぐ際、球体により出口が完全に塞がれるか、わずかな水の流路が残されているかにより、球体が迅速に出口を塞げないか、塞げるかの違いが生じる。すなわち、球体によって出口が完全に塞がれる構成の場合は、球体が出口を塞ごうと最上方に移動しようとしたとき、移動しようとする球体に対して出口から出ようとする水の流れがチャタリング作用を与える。水の流れに押し上げられて最上方に移動した球体は、出口を塞ごうとするが、出口から流れ出る水の流れは、球体によって出口が塞がれてしまうのを阻止しようと局部的な水流の乱れを生じる。この水流の乱れは、球体が出口に完全に嵌まり込むのを阻止し、球体が出口に完全に嵌まり込む直前で球体を振動させ、球体にチャタリングを生じさせる。
【００１３】
そこで、球体に生じるこのチャタリングを解消するため、この発明では、出口の内周の一部に切欠凹部を設けた。切欠凹部を設けると、切欠凹部を通して出口から流れ出るわずかな水の流路が残る。このため、水の流れがスムーズになり、球体にチャタリングが生じることがなくなる。
従って、この発明によれば、弁室内を上方に移動する球体は、スムーズに出口の内周に当接して、出口を塞ぎ、出口から水が供給されるのを阻止することができる。
【００１４】
請求項２の発明では、切欠凹部は、出口の中心に対して対称的な角度位置に複数個設けられている。たとえば、１８０°隔たる位置に２個の切欠凹部が設けられていてもよいし、１２０°隔たる位置に３個の切欠凹部が設けられていてもよいし、９０°隔たる位置に４個の切欠凹部が設けられていてもよいという具合である。切欠凹部を出口の中心に対して対称な角度位置に設けると、球体の周囲に満遍なく均一にわずかな水の流路が残るので、球体はよりスムーズに出口を塞ぐことができる。
【００１５】
なお、請求項１，２の発明において、切欠凹部を通じて出口から流れ出る水または洗浄水の量は、ごくわずかに過ぎず、しかも、この切換装置は食器洗い機の洗浄室に水や洗浄水を供給する経路に設けられたものであるから、球体が出口を塞いでいる場合に、出口からわずかな量の水や洗浄水が出ていっても、食器洗い機の洗浄動作、すすぎ動作等に何ら影響するものではない。
【００１６】
請求項３の構成では、出口につながる内壁がテーパ面になっているから、球体は出口を塞ぐためにテーパ面によってスムーズに出口へ案内される。従って、球体による出口の封止がよりスムーズに行える。
請求項４の発明では、水が供給されない場合は、球体は入口周囲に備えられた座によって受け止められている。座に受け止められた球体は、真っ直ぐ鉛直線方向上方へ移動すれば出口を塞ぐ位置にあるので、球体の移動がスムーズで、球体が出口を塞ぐ際に、ノイズなどの生じにくい構成とすることができる。
【００１７】
請求項５の発明も、請求項４の発明と同様の効果を奏する。
請求項６の発明では、弁室には無用なゆとりがないから、弁室内で球体はスムーズに上下移動し得る。
請求項７の発明では、ストッパピンにより、球体の上下移動を最適に制御することができる。
【００１８】
以上のように、この発明に係る切換装置は、噴射口へ供給される水や洗浄水の供給を良好に切り換えることができるので、この切換装置を用いた食器洗い機は、分け洗い動作が好適に行える食器洗い機とすることができる。
【発明を実施するための最良の形態】
【００１９】
以下には、図面を参照して、この発明の実施形態について具体的に説明をする。
図１は、この発明の一実施形態に係る食器洗い機１を前後方向に沿った鉛直面で切断したときの断面を右側から見た断面図である。以下の説明においては、図１における左側を食器洗い機１の前方、右側を後方として説明する。
図１を参照して、食器洗い機１は、流し台のシンクの横などに設置される卓上型のものであって、その外形が略直方体形状の筐体２により区画されている。筐体２は、たとえば、左右方向の長さ（幅）に比べて前後方向の長さ（奥行き）が短くされている。筐体２の内部には、洗浄タンク３が配置されており、洗浄タンク３の前面には、食器の出し入れのための開口４が形成されている。
【００２０】
開口４は、筐体２に対して取り付けられた２枚の扉（上扉５および下扉６）により覆うことができるようになっている。上扉５によって開口４の上半分程度を覆うことができ、下扉６によって開口４の下半分程度を覆うことができる。上扉５は、手前に少し変位した後開口４に沿って上方へ移動する構成となっている一方、下扉６は、下端部を中心に手前下方に回動可能となっている。これら上扉５および下扉６を閉じた状態では、開口４が覆われて、洗浄タンク３は水密に塞がれる。上扉５および下扉６を閉じた状態では、上扉５の下端部と下扉６の上端部とが係合するとともに、下扉６が筐体２に対してロックされることにより、上扉５および下扉６が閉じた状態に維持される。上扉５には、洗浄タンク３内に連通する排気口５Ａが形成されている。
【００２１】
下扉６の上端部には、その左右方向の中央部に、上扉５および下扉６を開く際にユーザが操作する把持部７が備えられている。ユーザは、把持部７を握って下方に軽く押し下げ、前方に引くことにより、下扉６のロックを解除して、下扉６を手前下方に回動させることができる。下扉６の回動に連動して、上扉５は上方へ移動し、開口４が大きく開放される。
【００２２】
図２は、上扉５および下扉６を取外した状態で食器洗い機１を前方から見た正面図である。
図１および図２を参照して、洗浄タンク３内には、洗浄すべき食器を収容するために、上下に２つの食器カゴ、すなわち上カゴ８Ａおよび下カゴ８Ｂが配置されている。上カゴ８Ａおよび下カゴ８Ｂは、それぞれ、前後方向にスライド可能に配置されていて、上扉５および下扉６を開いた状態で開口４を介して手前側に引き出し、食器の出し入れを容易に行うことができるようになっている。
【００２３】
後に詳述するが、上カゴ８Ａおよび下カゴ８Ｂには、決められた位置に決められた食器が収容できるよう、食器の種類に合わせた収容部が設けられている。大雑把に言えば、下カゴ８Ｂには、皿を立てた状態で収容できる皿収容部、茶碗、汁椀、丼などの碗ものを、横にした状態で収容できる碗収容部などが備えられている。また、上カゴ８Ａには、小鉢、コップ、湯飲みなどを開口を下方に向けた状態で収容できる収容部が備えられている。      
【００２４】
上カゴ８Ａには、着脱可能な樹脂製カゴ８０が含まれている。図１では、この樹脂製カゴ８０に湯飲みが収容された状態が示されており、図２では、樹脂製カゴ８０が取り外された状態が示されている。樹脂製カゴ８０を取り外した上カゴ８Ａは、樹脂製カゴ８０が取り付けられていた領域（図２において、上方の右側５分の２程度の領域）が大きく開放するので、下カゴ８Ｂにフライパン、鍋などの容量の大きな被洗浄物を入れることができる。
【００２５】
洗浄タンク３の底面３Ｂの手前側左部には、洗浄水を溜めておくための貯水部１５が、一段低く形成されている。洗浄タンク３内には、たとえば、機外の給水設備や給湯設備から水道水（常温の水または湯（以下、単に「水」と呼ぶ。）を供給することができるようになっていて、洗浄タンク３内に供給された水は、貯水部１５を含む洗浄タンク３の下部に溜まるようになっている。洗浄タンク３内に洗剤を投入することにより、その洗剤が洗浄タンク３内に供給された水と混ぜ合わされて、食器の洗浄に使用する洗浄水が生成される。
【００２６】
洗浄タンク３の下方（貯水部１５の後方）には、食器の洗浄時に洗浄タンク３内の洗浄水を循環させたり、洗浄タンク３内の洗浄水を排水したりするための洗浄兼排水ポンプ２０が配置されている。図１では図示しないが、洗浄兼排水ポンプ２０は、その内部が洗浄ポンプ室と排水ポンプ室とに区画されていて、洗浄ポンプ室および排水ポンプ室には、それぞれポンプモータ２１によって回転駆動可能な洗浄用インペラおよび排水用インペラが備えられている。
【００２７】
洗浄ポンプ室の吸入口は、貯水部１５の後壁に形成された循環口２２に接続されていて、洗浄ポンプ室の吐出口は、洗浄タンク３の下方に左右方向に沿って延設された通水路２４に接続されている。この通水路２４は、後述する回転ノズルアームおよび固定ノズルアームに接続されている。ポンプモータ２１が正転されると、洗浄ポンプ室内の洗浄用インペラの回転によって、貯水部１５から循環口２２を介して洗浄ポンプ室内に洗浄水が吸い込まれ、その洗浄水が吐出口から通水路２４に送り出される。通水路２４を介して圧送された洗浄水は、通常、回転ノズルアームおよび固定ノズルアームから洗浄タンク３内の食器に向けて噴射される。回転ノズルアームおよび固定ノズルアームから噴射された洗浄水は、再び洗浄タンク３の底部に溜まり、貯水部１５から循環口２２を介して洗浄兼排水ポンプ２０（洗浄ポンプ室）に吸い込まれる。このようにして、貯水部１５に溜められた洗浄水は、食器洗い機１内で循環されて、食器の洗浄に使用されるようになっている。
【００２８】
また、排水ポンプ室の吸込口は貯水部１５の左側壁に形成された排水口（図示せず）に接続されていて、排水ポンプ室の吐出口は機外に連通する排水路（図示せず）に接続されている。ポンプモータ２１が反転されると、排水ポンプ室内の排水用インペラの回転によって、貯水部１５から排水口を介して排水ポンプ室内に洗浄水が吸い込まれ、その洗浄水が排水路を介して機外に排出される。
【００２９】
洗浄タンク３の底部には、下カゴ８Ｂの下方から上方に向かって洗浄水を噴射するための２つの回転ノズルアーム２６が、左右に並べて配置されている（図１では、一方の回転ノズルアーム２６だけが見えている。）。これら２つの回転ノズルアーム２６は、それぞれ略楕円形の長尺形状を有していて、ノズル軸２７により、それぞれの長手方向中央部を中心にして、水平面内で回転可能に保持されている。ノズル軸２７は、通水路２４に連通している。
【００３０】
各回転ノズルアーム２６の上面には、複数個（たとえば、６個）のノズル２８が形成されている。洗浄兼排水ポンプ２０から通水路２４およびノズル軸２７を介して各回転ノズルアーム２６に送られてきた洗浄水は、各回転ノズルアーム２６のノズル２８から上方に向かって噴射される。各回転ノズルアーム２６のノズル２８から洗浄水が噴射される際に、各回転ノズルアーム２６に対して反力が生じ、その反力によって、各回転ノズルアーム２６はノズル２８から洗浄水を噴射しつつ回転することとなる。これにより、各回転ノズルアーム２６の上方に位置する食器（主に下カゴ８Ｂに収容されている食器）に満遍なく洗浄水を噴射して、良好に洗浄を行うことができる。
【００３１】
洗浄タンク３内の後面３Ｃおよび右側面３Ｄには、上カゴ８Ａと下カゴ８Ｂとの間から上カゴ８Ａに収容された食器に向かって洗浄水を噴射するための固定ノズルアーム２９が取り付けられている。固定ノズルアーム２９は、その下端から上方に延びた後、途中から第１アーム３０と第２アーム３１とに分岐した形状になっている。第１アーム３０および第２アーム３１は後面３Ｃに配置されている。そしてさらに第２アーム３１の先端には右側面３Ｄに配置された第３アーム３２が接続されている。固定ノズルアーム２９は、その下端が通水路２４に連通している。
【００３２】
第１アーム３０は、左方に向かって分岐し、後面３Ｃの左端近傍までほぼ水平に（厳密には先端の方が少し高くなるように若干傾斜して）延びている。第１アーム３０には、上カゴ８Ａの主として左半分に収容された食器に向けて洗浄水を噴射するためのたとえば４つのノズル３３がほぼ等間隔に配置されている。
第２アーム３１は、第１アーム３０の分岐位置よりもさらに上方まで延びた後、右方に屈曲し、後面３Ｃの右端近傍まで略水平に（厳密には先端の方がやや高くなるように若干傾斜して）延びている。第２アーム３１には、上カゴ８Ａの主として右半分に収容された食器に向けて洗浄水を噴射するための各種のノズル３４が備えられている。
【００３３】
第３アーム３２は、右側面３Ｄに配置されていて、図１に示すように前方に向かってほぼ水平に延び、その先端は開口４近傍に達している。第３アーム３２には、上カゴ８Ｂに収容された食器に対して、特に樹脂製カゴ８０に収容された湯飲みおよびコップ類に対して斜め下方から洗浄水を噴射するために、たとえば３つのノズル３５が備えられている。  貯水部１５の上縁には、メッシュ状の残菜フィルタ３７が着脱可能に配置されていて、洗浄時に食器から分離した残菜は、この残菜フィルタ３７により捕獲され、貯水部１５への流入が阻止されるようになっている。残菜フィルタ３７の前端中央部には、上方に延びる把持部３８が形成されており、ユーザは、この把持部３８をつまんで残菜フィルタ３７の着脱を容易に行うことができる。
【００３４】
食器洗い機１は、また、洗浄後の食器を乾燥させる機能を有している。洗浄タンク３の底面３Ｂの前側部分には、洗浄時に洗浄タンク３内に溜められた洗浄水を温めたり、乾燥時に洗浄タンク３内の空気を温めたりするためのヒータ（図示せず）が配置されている。  固定ノズルアーム２９の根元部（第１アーム３０の分岐部よりも下側）には、固定ノズルアーム２９に洗浄水を流通させるか否かを切り換えるための切換装置４０が配置されている。切換装置４０は、固定ノズルアーム２９の根元部と通水路２４との間を接続する弁室およびボール弁を含み、ボール弁で固定ノズルアーム２９への洗浄水の流路を閉鎖することにより、固定ノズルアーム２９への洗浄水の流通を阻止するものである。
【００３５】
この食器洗い機１では、切換装置４０により通水路２４から固定ノズルアーム２９への洗浄水の流路を開放した状態に維持することにより、回転ノズルアーム２６および固定ノズルアーム２９の両方から洗浄水を噴射させることができるだけでなく、切換装置４０により通水路２４から固定ノズルアーム２９への洗浄水の流路を閉鎖することにより、回転ノズルアーム２６からだけ洗浄水を噴射させるモード（分け洗いモード）も実行できるようになっている。
【００３６】
図３および図４は、切換装置４０の構成を説明するための図で、具体的には、図３Ａは切換装置４０の斜視図、図３Ｂは切換装置４０の背面図、図３Ｃは図３ＢのＢ−Ｂ′に沿う横断面図、図４Ａは切換装置４０の正面側から見た縦断面図、図４Ｂは図４ＡのＡ−Ａ′に沿う横断面図、図４Ｃは切換装置４０の右側面から見た縦断面図、図４Ｄはボール４２が最上方に位置しているときの様子を説明するための拡大断面図である。
【００３７】
図３，４を参照して説明すると、切換装置４０は、上下に長手の管状部材４５を有し、管状部材４５内の上方に弁室４６が作られている。弁室４６は、上下方向に長手の内空間４７を有し、内空間４７の下端４８が水の入口、内空間の上端４９が水の出口となっている。水の入口４８および水の出口４９は、それぞれ、水平に開口しており、入口４８および出口４９の中心は同一の鉛直線上に存在する。
【００３８】
弁室４６内には球形のボール４２が収容されている。ボール４２は弁室４６内を上下に移動可能である。弁室４６の下方、すなわち水の入口４８の周囲には、最下方に位置するボール４２を受け止めるための座５０が備えられている。座５０は、最上方に移動して出口４９を塞いだボール４２と、最下方に位置したボール４２とが鉛直線方向に並ぶ位置に形成されている。換言すれば、座５０は、ボール４２が弁室４６の内空間下端４８において、弁室４６の中心軸上にボール４２が位置するように設けられたものである。座５０上にボール４２が乗ることにより、弁室４６の下端４８において、ボール４２は弁室４６の下隅などに偏ることなく、弁室４６の真ん中、すなわち中心軸を中心に位置する。
【００３９】
弁室４６は、その内形（横断面の内形）が円形をした円柱状の内空間４７を備えており、当該内空間４７は、その直径がボール４２の直径の１．２倍未満となっている。すなわち、弁室４６はボール４２が自由に上下動し得るに十分な内空間４７を備えるが、ボール４２と弁室４６との隙間が大きくなり過ぎない程度の内空間とされている。弁室４６をかかる大きさにすることにより、ボール４２はほぼ上下方向にスムーズに弁室４６内を上下動し得る。
【００４０】
弁室４６の上端４９には、上端４９に向かって狭まるようにテーパ面５１が形成されている。テーパ面５１は水平方向に対して４５°以上の角度で傾斜している。それゆえ、上方に移動したボール４２はテーパ面５１に案内されて出口４９に係合する。
弁室４６の出口４９には、内周の一部に切欠凹部５２が形成されている。切欠凹部５２は、水平方向に見て、出口４９の中心に対して対称的な角度位置（この実施形態では１８０°隔たる位置）に複数個（この実施形態では２個）形成されている。このような切欠凹部５２が形成されていると、図４Ｄに示すように、ボール４２が最上方に移動して、出口４９を塞いでも、出口４９には水が流れ出るごくわずかの隙間が切欠凹部５２により存在することになる。従って、ボール４２が出口４９を塞いだ状態でも、切欠凹部５２を通ってわずかの洗浄水が出口４９から出ていくが、食器洗い機の性質上、出口４９から出ていくわずかな量の水や洗浄水は、食器洗い動作やすすぎ動作等に何ら影響を与えるものではない。
【００４１】
一方、切欠凹部５２が形成されていると、ボール４９が上方に移動して出口４９を塞ぐ際に、ボール４９がスムーズに出口４９を塞げるという作用効果がある。仮に、切欠凹部５２が設けられていない場合は、出口４９を塞ごうとするボール４２が、出口４９から上方に出る水の流れによりチャタリングを生じる。そして、ボール４２がスムーズに出口４９を塞げないという現象が生じる。
【００４２】
この実施形態では、ボール４２が出口４９を塞ぐ際におけるチャタリングを防止するため、切欠凹部５２を、水平方向に対称位置に、２つ設けたのである。
なお、切欠凹部５２は、出口４９の内周縁に少なくとも１つ設けられていればよい。また、切欠凹部５２は、この実施形態のように１８０°隔たる位置に２個ではなく、水平方向に見て、たとえば１２０°隔たる位置に合計３つの切欠凹部が設けられた構成や、９０°隔たる位置に合計４つの切欠凹部が設けられた構成等であってもよい。
【００４３】
切換装置４０には、さらに、内空間４７の下方に連通する内空間５３が備えられていて、その内空間５３の後方壁面には水の戻り孔５４が形成されている。
なお、切換装置４０を構成する管状部材４５の外側には、左側へ突出するアーム５５と、アーム５５の先端に一体的に設けられた円板部材５６が備えられているが、これらは、通水路の切り換えとは関係なく、洗浄時において消泡作用等のために用いられる部材が管状部材４５と一体に成形されているものであり、ここでの説明は省略する。
【００４４】
切換装置４０の背面側には、洗浄タンク３の後面３Ｃ（図１，図２参照）に固定するための、背面視上下に長手の長方形状をした取付部５７が設けられていて、取付部５７内には後方に連通する連結窓５８が形成されている。そして、洗浄タンク３の後面３Ｃを挟んで、洗浄タンク３の背面側から、連結窓５８に対してストッパピン４３を含む駆動機構が装着される。
【００４５】
図５に、連結窓５８を介してその背面側に駆動機構６０が取り付けられた切換装置４０を右側面から見た縦断面図を示す。駆動機構６０は、弁室４１内に出没可能なストッパピン４３を有する。ストッパピン４３は、弁室４６の上下方向中央部において、背面側から正面側に向かって水平方向に突出し得る。ストッパピン４３が突出した状態では、ボール４２はストッパピン４３に邪魔されて、弁室４６内を上方へ移動できない。
【００４６】
一方、ストッパピン４３が弁室４６から退いた状態では、ボール４２は座５０に受け止められた位置から鉛直方向上方に真っ直ぐに移動可能であり、出口４９を塞ぐことができる。ストッパピン４３の突出状態と退避した状態とを切り換えるために、駆動機構６０にはソレノイド４４が備えられている。ソレノイド４４がオフ状態では、ストッパピン４３は弁室４６内に突出し、ソレノイド４４がオン状態ではストッパピン４３は弁室４６から後方に引っ込む。この実施形態では、食器洗い機１（図１，図２参照）が洗浄運転動作を停止しているときには、ソレノイド４４がオフしており、ストッパピン４３は弁室４６内に突出した状態である（図５Ａの状態）。
【００４７】
そして、分け洗い運転を行わない通常の運転時には、ソレノイド４４は通電されず、ストッパピン４３は弁室４６内に突出した状態のままである。このため、洗浄運転が開始され、洗浄兼排水ポンプ２０が動作されると、管状部材４５を通って下方から水または洗浄水が上方に供給され、供給される水または洗浄水によりボール４２は押し上げられて、入口４８から弁室４６内へと水または洗浄水が供給される。そしてボール４２は、弁室４１内へ突出しているストッパピン４３のために、弁室４６内を上方位置まで移動できないから、供給される水や洗浄水は、弁室４６内において、ボール４２と弁室４６との間を通って出口４９から上方へと供給される。これにより、上カゴ８Ａおよび下カゴ８Ｂに収容された食器の洗浄が行える。
【００４８】
一方、分け洗い運転時には、駆動機構６０が次のように制御される。
停止状態においては、図５Ａに示すように、ソレノイド４４はオフされており、ストッパピン４３が弁室４６内に突出している。
そして、洗浄運転が開始される直前（洗浄兼排出ポンプ２０が運転を開始する直前）において、ソレノイド４４がオンされ、ストッパピン４３が後方へ引っ込む。（図５Ｂ）この状態で、洗浄兼排水ポンプ２０によって管状部材４５の下方から水または洗浄水が供給される。供給される水または洗浄水はボール４２を鉛直方向上方へ押し上げ、ボール４２は供給される水または洗浄水と共に真っ直ぐ上にあがり、出口４９に当接して、出口４９を塞ぐ。（図５Ｃ）
そしてその後、ソレノイド４４はオフとなり、ボール４２が弁室４６の上方に位置した状態のまま、ストッパピン４３が突出する。（図５Ｄ）
実際には、図５Ｂのようにソレノイド４４がオンされてストッパピン４３が後方に引っ込み、図５Ｄのようにソレノイド４４がオフされてストッパピン４３が突出するまでの期間は、約１秒程度の期間である。このように、ソレノイド４４は短時間だけオンされるので、ソレノイド４４が焼きつくなどの心配はない。
【００４９】
分け洗い運転中は、洗浄兼排水ポンプ２０により管状部材４５へと供給される水または洗浄水により、弁室４６内は一定の水圧がかかっているから、出口４９を塞いだボール４２が下方へ落下することはない。
この発明は、以上説明した切換装置４０を設けたことにより、固定ノズルアーム４９へ供給される水または洗浄水の供給を停止して、分け洗いが良好に行える食器洗い機を提供できる。
【００５０】
なお、この発明は、上述した実施形態に限定されるものではなく、請求項記載の範囲内において種々の変更が可能である。
【図面の簡単な説明】
【００５１】
【図１】この発明の一実施形態に係る食器洗い機を前後方向に沿った鉛直線で切断した時の断面を右側から見た断面図である。
【図２】上扉および下扉を取り外した状態で食器洗い機を前方から見た正面図である。
【図３】切換装置４０の構成を説明するための図である。
【図４】切換装置４０の構成を説明するための図である。
【図５】切換装置４０の動作を説明するための図である。
【符号の説明】
【００５２】
１    食器洗い機
３    洗浄タンク
３Ｃ    後面
８    食器カゴ
８Ａ    上カゴ
８Ｂ    下カゴ
２０    洗浄兼排水ポンプ
２６    回転ノズルアーム
２９    固定ノズルアーム
４０    切換装置
４１    弁室
４２    ボール
４３    ストッパピン
４４    ソレノイド
４５    管状部材
４６    弁室
４７    内空間
４８    入口
４９    出口
５０    座
５１    テーパ面
【図１】
2006055355.tif 000003
【図２】
2006055355.tif 000004
【図３】
2006055355.tif 000005
【図４】
2006055355.tif 000006
【図５】
2006055355.tif 000007